(57)【特許請求の範囲】
【請求項１】
全地球測位システム（ＧＰＳ）信号を最適化する衣服であって、該衣服は、
着用状態で少なくとも着用者における胴体の一部の周りを取り囲み、前身頃及び後ろ身頃を有するシャツと、
前記シャツの後ろ身頃で、前記シャツの後ろ身頃のネックラインから少なくとも２．５４ｃｍ（１インチ）下方に上端を設けた三次元的なポケットであり、ＧＰＳ装置を保持するサイズを有する、該ポケットと、
心拍数モニタ装置の胸ストラップを保持するように構成した１つ以上の心拍数モニタタブと、
を備えた、衣服。
【請求項２】
請求項１に記載の衣服において、前記ポケットの前記上端を、シャツの後ろ身頃のネックラインから７．６２ｃｍ（３インチ）の位置に配置した、衣服。
【請求項３】
請求項２に記載の衣服において、前記ポケットは折り畳み可能な材料で構成し、また前記折り畳み可能な材料をポケット用のパッチとして裁断し、三次元的形状に縫製し、その端縁をシャツに取り付けた、衣服。
【請求項４】
請求項１に記載の衣服において、形状にフィットする運動用材料で構成した、衣服。
【請求項５】
請求項４に記載の衣服において、前記ポケットは屈曲可能な布地で形成した、衣服。
【請求項６】
請求項５に記載の衣服において、前記ポケットはスペーサメッシュで形成した、衣服。
【請求項７】
請求項１に記載の衣服において、前記１つ以上の心拍数モニタタブは、前記衣服の内面の少なくとも一方の側面に取り付けた、衣服。
【請求項８】
請求項６に記載の衣服において、前記ポケットは寸法が少なくとも５．０８ｃｍ×１０．１６ｃｍ×２．５４ｃｍ（２インチ×４インチ×１インチ）のＧＰＳ装置を保持するよう構成した、衣服。
【請求項９】
請求項６に記載の衣服において、前記ポケットは、衣服着用状態で着用者の背中の肩甲骨間に配置した、衣服。
【発明の詳細な説明】
【技術分野】
【０００１】
全地球測位システム（ＧＰＳ：Global Positioning System）受信機は、ＧＰＳ受信機の位置を決定するため、衛星からの測定結果を使用する。ＧＰＳ受信機は、一般的にその位置を、衛星から送信され、地表又はその付近の受信機によって受信される、信号の送信と受信との間の時間遅延（差）を計算することによって、決定する。この時間遅延を使用して、受信機から受信機の視野内にある各衛星までの距離を計算する。ＧＰＳ受信機は、衛星から受信機までの正確な距離の信号を得るために、見通し線を必要とする。従って、信号の経路上におけるいかなる物体も、その信号の受信を妨害する可能性がある。
【背景技術】
【０００２】
ハンドヘルドＧＰＳ受信機は、アウトドア活動、例えばキャンプ、ハイキング、ジオキャッシング（宝探しゲーム）でよく使用される。経路ナビゲーションに加えて、サイクリスト、ランナー、スキーヤー及び他のアスリートは、ＧＰＳ装置をトレーニング中又は競技中に使用して、速度、距離、高度等のトレーニングのパラメータを記録する。
【発明の概要】
【発明が解決しようとする課題】
【０００３】
スポーツ活動中にＧＰＳ装置が有用であっても、運動パフォーマンスを妨げることなく、トレーニング及び競技中にＧＰＳ装置を持ち運ぶのは、多くの場合煩わしい。さらに、激しいスポーツ活動中、良好に衛星信号を受信する位置にハンドヘルドＧＰＳ装置を保持することは極めて困難である。アウトドアスポーツ活動に関してＧＰＳ技術の使用が増加するにつれて、アスリートにＧＰＳ受信機を簡便に取り付けるとともに、ＧＰＳ信号遮断を最小化する必要性が生じた。
【課題を解決するための手段】
【０００４】
本発明の実施形態は、ＧＰＳ信号を最適化する衣服を使用して、ＧＰＳ装置を搬送するシステム及び方法を提供する。さまざまな実施形態において、この衣服は、ＧＰＳ受信機が最適ＧＰＳ信号を取得し易くするよう位置決めした三次元的なポケットを有する構成とすることができる。これら実施形態において、ポケットは、この衣服の着用者の動きを阻害しないように、この衣服に位置決めすることができる。さまざまな実施形態において、この衣服は、心拍数モニタ装置を保持するための心拍数モニタタブを有する構成とする。
【０００５】
本発明の実施形態は、特許請求の範囲によって定義するが、発明の概要によっては定義されない。従って、本発明のさまざまな態様の高次の概略をここに提供する。すなわち、本発明の概略を提供し、以下の詳細な説明にてさらに記載する概念のセレクションを紹介するためである。この発明の概要は、特許請求の範囲に記載された対象の重要な特徴又は不可欠な特徴を識別することを意図するものではなく、単独で特許請求の範囲に記載された対象の範囲を決定する補助をするのに使用することを意図するものでもない。
本発明の実施形態は、参照することによって本明細書に組み込まれる添付図面につき、以下に詳細に説明する。
【図面の簡単な説明】
【０００６】
【図１】本発明の特徴を具現化する衣服の正面図である。
【図２】本発明の特徴を具現化する衣服の背面図である。
【図３】本発明の実施形態による、衣服の側面図である。
【図４】本発明の特徴を具現化する他の衣服の背面図である。
【図５】本発明の実施形態による、ＧＰＳ信号を最適化する衣服を使用してトレーニングするアスリートを示す図である。
【図６】本発明の実施形態による、ＧＰＳ信号を最適化する衣服を使用して運動トレーニングする際の方法の全体的な流れを示すブロック図である。
【図７】本発明による、衣服に使用できる、心拍数モニタタブの正面図である。
【発明を実施するための形態】
【０００７】
本発明の要旨は、特許法的要件を満たすよう、特異的に記載する。しかし、記載自体は、必ずしも特許請求の範囲を限定することを意図していない。むしろ、特許請求した要旨は、他の現行又は将来の技術に関連して、本明細書で説明するのと類似する、異なるステップ又はステップの組み合わせを含んだ他の方法で具現化することができる。本明細書において用語「ステップ」及び／又は「ブロック」又は「モジュール」等を用いて、使用する方法又はシステムの異なる構成要素を暗示するが、これら用語は、個別ステップの順序を明示的に記載する場合を除いて、本明細書に記載するさまざまなステップ間に何らかの特別な順序があることを意味していると解釈すべきではない。
【０００８】
本発明は、運動行為の邪魔をすることなく、運動トレーニング又は競技中にＧＰＳ信号を最適化するよう、ＧＰＳ装置を携行する衣服に関する。本発明はさらに、ＧＰＳ信号を最適化する衣服を使用して運動トレーニングを行うための方法に関する。本発明による衣服は、三次元的ポケットを有し、これにより、この衣服を着用してトレーニングをしているアスリートの両肩間で、ＧＰＳ受信機が最適ＧＰＳ信号を受信し易くするよう位置決めしてＧＰＳ受信機を保持することができる。
【０００９】
従って、一態様において、本発明は、全地球測位システム（ＧＰＳ）信号を最適化する衣服を提供する。この衣服は、着用状態で着用者の胴体の少なくとも一部の周りを取り囲むシャツであって、前身頃及び後ろ身頃を有するシャツとすることができる。この衣服には、シャツの後ろ身頃のネックラインから少なくとも２．５４ｃｍ（１インチ）下方で後ろ身頃に取り付けた三次元的ポケットを設けることができ、このポケットはＧＰＳ装置を保持するサイズにする。
【００１０】
さらに他の態様においては、本発明は、ＧＰＳ信号最適化する衣服を使用して運動トレーニングを行う方法を提供する。この方法は、着用状態で着用者の胴体の少なくとも一部の周りを取り囲み、前身頃及び後ろ身頃を有する衣服を準備するステップを有する。さらにこの衣服は、後ろ身頃のシャツのネックラインから少なくとも２．５４ｃｍ（１インチ）下方で後ろ身頃に取り付けた三次元的なポケットを設け、このポケットはＧＰＳ装置を保持するサイズとする。この方法は、ＧＰＳ装置を電源オンにするステップと、ＧＰＳ装置を衣服のポケットに挿入するステップと、及び運動のトレーニング中及び／又は競技中に衣服を着用するステップとを有する。
【００１１】
ＧＰＳ信号の最適化は、一般的にＧＰＳ受信機が、最も強力なＧＰＳ衛星信号を迅速に取得できるようにし、それによって受信機の精度を高めることをいう。ＧＰＳ装置は、地球の周りの軌道を周回する衛星のネットワークが送信する、ＧＰＳ装置の高度、経度、緯度に関するデータを含む無線信号を通じて受信したデータに依存する。衛星信号は、地球表面に達するのに十分な強さで送信されるが、信号の経路にあるいかなる物体もその信号の受信を妨害する可能性がある。このように、種々の要因、例えば、狭い通りや高層ビル、フロントガラスを左右に横切って動くワイパー、樹冠、山及び他の大きな物体、高速道路の高架交差路さえも、ＧＰＳ信号を妨害する又は遮断するおそれがある。同様に、アスリートの上半身は、アスリートがＧＰＳ装置を手に装着して、又はパンツ若しくはショートパンツのポケットに入れて携行するとき、ＧＰＳ信号を妨害する場合がある。さらに、四肢の動きは運動能力を追求する上で問題になり得る。例えば、ＧＰＳ時計は一般的に従来の時計よりもかなり重く、高い能力を有するアスリートのトレーニングに大いに影響を与える場合がある。ＧＰＳ時計は、そもそも、移動距離等のパラメータを測定するために着用者の体の中心部に取り付けたＧＰＳ受信機よりも精度が低い。ＧＰＳ受信機を手に装着して携行しなければならないことは、アスリートのトレーニング又は競技の妨げにもなり得る。例えば、ランニング等の激しい活動中、大きく嵩張るハンドヘルドＧＰＳ装置を保持することは、アスリートの走るスピード及び距離に大きく影響を与える。従って、アスリートが使用する受信機のＧＰＳ信号受信は、受信機からＧＰＳ衛星まで遮るもののない見通し線が得られるよう、アスリートの体に対するＧＰＳ受信機を位置決めすることによって、最適化することができる。さらに、ＧＰＳ信号を最適化する衣服は、その衣服着用者の動きを阻害しないようにすべきである。
【００１２】
本発明の実施形態は、ＧＰＳ信号を最適化する衣服、及びＧＰＳ信号を最適化する衣服を使用して運動トレーニングを行う方法を提供する。本発明の実施形態の概略を簡潔に説明したが、ＧＰＳ信号を最適化する衣服を、例示的に以下に説明する。
【００１３】
図面、特に図１〜５につき説明すると、これら図は、ＧＰＳ信号を最適化する衣服を、例示としてさまざまな角度から示す。本明細書において述べる実施形態はシャツを含む衣服をさすが、実施形態は、特定のスタイル又はタイプの上半身を覆う衣服に限定されるものではないことを理解されたい。例えば、他の実施形態としては、ジャージ、テックシャツ（tech shirts）、タンクトップ、ユニスーツ（unisuits）、スポーツブラ、ジャケット、ベスト等で、ＧＰＳ信号を最適化する三次元的なポケットを有するものとすることができる。さらに、図面の記載は単に例示を目的とするものであり、本発明の範囲を任意なタイプのアウトドア活動又は運動トレーニング技能に限定する意図はない。さらに、ＧＰＳ装置を作る材料、並びにＧＰＳ装置の材料特性は従来既知であり、本明細書においてさらに詳細には説明しない。
【００１４】
次に図１につき説明すると、本発明の特徴を具現化する衣服の正面図を示し、全体的に参照符号１００で示す。衣服１００は、シャツ１０５、三次元的ポケット１１０を有し、シャツ１０５は前身頃１１５、後ろ身頃１１７、袖１２０、ネックライン１２５及び開口部１３０を有する。衣服１００は、運動時使用のため、任意なタイプの材料で形成することができる。例えば、衣服１００は、体の形状にフィットする材料で形成することができ、織成した又は不織性のニット、スパンデックス、ライクラ及び運動用メッシュがあるが、これらに限定するものではない。シャツ１０５は、着用者の胴体の少なくとも一部の周りを取り巻き、前身頃１１５は着用者の胸をカバーし、後ろ身頃１１７は着用者の背中をカバーする。シャツ１０５は、図示のような袖１２０を設けることができるが、シャツ１０５は長袖又は袖なしとすることができる。シャツ１０５は、さらに、着用者における首の一部の周りに広がるネックライン１２５を有する場合がある。シャツ１０５の後ろ身頃１１７に三次元的ポケット１１０を取り付けることができる。ポケット１１０は、ＧＰＳ装置を確実に保持するサイズにする。シャツ１０５の後ろ身頃１１７には、ポケット１１０の内側頂端縁に開口部１３０を設けることができる。開口部１３０は、ＧＰＳ装置（図示せず）をポケット１１０に挿入することを可能にする。ＧＰＳ装置が最適なＧＰＳ信号を受信するため、ポケット１１０は、シャツ１０５の後ろ身頃１１７でネックライン１２５から２．５４ｃｍ（１インチ）の位置に取り付けることができる。実施形態において、ポケット１１０は、シャツ１０５のネックライン１２５から７．６２ｃｍ（３インチ）の範囲内に配置することができる。衣服１００には、さらに、心拍数モニタ装置を取り付けるための心拍数モニタタブ１３５を設けることができる。概して、心拍数モニタタブは、特定のタイプ又はブランドの心拍数モニタ装置用の形状又はサイズに形成することができる。実施形態において、心拍数モニタタブ１３５は、さまざまなタイプの既知の心拍数モニタ装置を収容及び保持し易くするよう設計した「ユニバーサル」タブとすることができる。実施形態において、心拍数モニタタブ１３５は、衣服１００の内側で袖１２０の下に取り付けることができる。心拍数モニタタブ１３５は、衣服１００が着用状態にあるときに、心拍数モニタ装置を着用者の胸に都合良く、また心地よく取り付けられるようにする。衣服１００は、複数の心拍数モニタタブ１３５を設け、運動トレーニング中及び／又は競技中に、心拍数モニタ装置を最適にフィットさせることを確実にする。
【００１５】
次に図２につき説明すると、本発明の特徴を具現化する、ＧＰＳ信号を最適化する衣服の背面図を示し、全体的に参照符号２００を付して示す。衣服２００は、シャツ２０５、三次元的ポケット２１０、ネックライン２１５、シャツ２０５の後ろ身頃２２０、及びＧＰＳ装置２２５を有する。三次元的ポケット２１０は、シャツ２０５の後ろ身頃２２０でネックライン２１５から１．２７ｃｍ〜７．６２ｃｍ（０．５インチ〜３インチ）の位置に取り付けることができる。衣服２００におけるポケット２１０の配置は、ＧＰＳ装置２２５の信号受信能力を高めることができる。実施形態において、ポケット２１０は、着用状態において着用者の背中の肩甲骨間に配置することができる。ＧＰＳ装置２２５は、当技術分野において既知のＧＰＳ装置を含むことができる。一例として、ポケット２１０は、少なくとも５．０８ｃｍ×１０．１６ｃｍ×２．５４ｃｍ（２インチ×４インチ×１インチ）の寸法を有するＧＰＳ装置２２５を保持するように構成することができる。実施形態において、ＧＰＳ装置２２５は、内部に通信用の送信機、受信機及びプロセッサを有する構成とする。
【００１６】
ポケット２１０は、折り畳み可能な材料及び／又は屈曲可能な布地で構成することができ、これら材料として限定はしないが、スペーサメッシュがある。ポケット２１０は、折り畳み可能な材料のパッチを三次元的形状に裁断及び縫製し、ポケット２１０の端縁をシャツ２０５の後ろ身頃に取り付けて形成することができる。ポケット２１０は、縫合、接着又は他の任意な技術でシャツ２０５に配置する。
【００１７】
次に図３につき説明すると、本発明の特徴を具現化する、ＧＰＳ信号を最適化する衣服の側面図を示し、全体的に参照符号３００で示す。衣服３００は、着用者における胴体の一部の周りを取り巻き、前身頃３０６、後ろ身頃３０７、ネックライン３１５を有するシャツ３０５を有する。シャツ３０５の後ろ身頃３０７には、三次元的ポケット３１０を取り付ける。ポケット３１０は、ＧＰＳ装置を確実に保持するサイズにすることができる。ＧＰＳ装置が最適ＧＰＳ信号を受信できるよう、ポケット３１０は、シャツ３０５の後ろ身頃３０７のネックライン３１５から少なくとも２．５４ｃｍ（１インチ）の位置に取り付けることができる。ポケット３１０を配置することにより、衣服３００の着用者がＧＰＳ装置を保持することなくＧＰＳ装置を運搬するができる。着用者（彼／彼女）が、ＧＰＳ装置を心地悪く手で搬送するよりも、衣服３００の着用者はＧＰＳ装置をポケット３１０に入れて搬送することができる。このように、衣服３００は、ＧＰＳ信号妨害を減らし、着用者の運動パフォーマンスの妨害を制限することができる。
【００１８】
次に図４につき説明すると、本発明の特徴を具現化する、別のＧＰＳ信号を最適化する衣服の背面図を示し、全体的に参照符号４００で示す。衣服４００は、ブラジャー４０５、三次元的なポケット４１０、ネックライン４１５、ブラジャー４０５の後ろ身頃４２０及びＧＰＳ装置４２５を有する。三次元的なポケット４１０は、ブラジャー４０５の後ろ身頃４２０でネックライン４１５から２．５４ｃｍ（１インチ）の位置に取り付けることができる。衣服４００に対するポケット４１０の配置によれば、ＧＰＳ装置４２５の信号受信能力を高めることができる。実施形態において、ポケット４１０は、着用状態で着用者の肩甲骨間に配置することができる。ＧＰＳ装置４２５は、当技術分野において既知のＧＰＳ装置とすることができる。実施形態において、ＧＰＳ装置４２５は、内部に通信用の送信機、受信機及びプロセッサを有する構成とすることができる。実施形態において、ＧＰＳ装置４２５は、加速力を測定するための加速度計を設けることもできる。加速度計から得たデータを使用して、ＧＰＳ装置から得た初期位置及び速度と関連させ、継続的に装置の位置及び速度を決定することができる。このデータを使用して、ＧＰＳデータとは無関係なＧＰＳ装置の位置情報を生じ、またこのデータは、ＧＰＳ装置がＧＰＳ信号をはっきりと受信することができない場合に、特に重要となり得る。
【００１９】
次に図５につき説明すると、本発明の特徴を具現化する、ＧＰＳ信号を最適化する衣服を使用してトレーニングをするアスリートを示す略図であり、全体的に参照符号５００で示す。このトレーニング方法は、着用者の胴体の周りを取り囲むシャツ５０５を有するＧＰＳを最適化する衣服５０２を含む。このシャツ５０５は、前身頃５０６、後ろ身頃５０７及びネックライン５１５を有する。三次元的ポケット５１０はシャツ５０５の後ろ身頃５０７に取り付ける。ポケット５１０は、ＧＰＳ装置（図示せず）を確実に保持するサイズとする。ＧＰＳ装置は、ＧＰＳ衛星５２０からラジオ信号を受信し、ラジオ信号から得たデータを使用して、ＧＰＳ装置の高度、経度及び／又は緯度を含むパラメータを決定する。これらパラメータを知得することにより、アスリートが自分の位置を決定し、また以下のものに限定しないが、速度、高度及び距離を含むトレーニングパラメータを記録することができる。ＧＰＳ装置が最適なＧＰＳ信号を受信するため、ポケット５１０を、シャツ３０５の後ろ身頃５０７のネックライン５１５から少なくとも２．５４ｃｍ（１インチ）の位置に取り付けることができる。ポケット５１０を配置することにより、衣服５０２の着用者は、ＧＰＳ装置を保持することなく、ＧＰＳ装置を帯同してトレーニングすることができる。ＧＰＳ装置を着用者（彼／彼女）が手で心地悪く携行し、トレーニングや競技の邪魔になるよりも、衣服５０２を着ているアスリートはＧＰＳ装置をポケット５１０に入れて搬送することができる。このように、衣服５０２はＧＰＳ信号妨害を減らし、着用者の運動パフォーマンスに対する妨害を制限することができる。ポケット５１０の三次元的性質によれば、アスリートがＧＰＳ装置を二次元的なポケットに保持することに付随する不快感を覚えることなく、確実にＧＰＳ装置を着用できるようになる。図は走っている姿を示すが、本発明の実施形態は、両手が自由になることに関連して、ＧＰＳ信号の最適化が役立つであろう他のスポーツ活動に使用することができる。限定的ではなく例示として、本発明は、スキー、ローイング（漕艇）、サイクリングを含むスポーツ活動に使用することができる。
【００２０】
次に図６につき説明すると、本発明の実施形態によるＧＰＳ信号を最適化する衣服を使用して運動トレーニングする方法６００の流れを示すブロック図を示す。最初に、ブロック６１０に示すように、ＧＰＳ信号を最適化する衣服を準備する。この衣服は、着用者の胴体における少なくとも一部の周りを取り囲む、前身頃及び後ろ身頃を有するシャツ又はスポーツブラとすることができる。この衣服は、シャツの後ろ身頃で、シャツのネックラインから少なくとも２．５４ｃｍ（１インチ）の位置に三次元的なポケットを設け、ポケットはＧＰＳ装置を保持できるサイズとする。ＧＰＳ装置は、ブロック６２０に示すように電源オンにする。このＧＰＳ装置は、ブロック６３０に示すように、衣服のポケットに入れる。三次元的なポケットに取り外し可能に固定したＧＰＳ装置を含むこの衣服を、ブロック６４０に示すように、運動のトレーニング中又は競技中に着用する。
【００２１】
次に図７につき説明すると、本発明による衣服に使用できる心拍数モニタタブの正面図を示し、全体的に参照符号７００で示す。心拍数モニタタブ７０５及び７１５は、特定のタイプ又はブランドの心拍数モニタ装置用の形状又はサイズに形成した心拍数モニタタブの例である。ほんの一例として、タブ７０５のような形状の心拍数モニタタブは、スント（SUUNTO）ブランドの心拍数モニタの胸ストラップを収容し、保持することに使用することができ、タブ７１５のような形状の心拍数モニタタブは、ポーラ（POLAR）ブランドの心拍数モニタの胸ストラップに使用することができる。心拍数モニタタブ７１０は、さまざまな種類の既知の心拍数モニタ装置を保持し易くするよう設計した、汎用的心拍数モニタタブの例である。心拍数モニタタブ７０５，７１０及び／又は７１５は、本発明のＧＰＳ信号を最適化する衣服に取り付けることができる。
【００２２】
本発明の実施形態は、限定するのではなく単なる説明を意図して記載している。当業者には、本発明の範囲を逸脱しない代替の実施形態が明らかであろう。当業者は、本発明の範囲から逸脱することなく、前記の改善を行う代替的手段を開発することができる。
【００２３】
特定の特徴及びサブコンビネーションは有用であり、他の特徴及びサブコンビネーションに関係なく採用することができ、特許請求の範囲内にあることを理解されたい。さまざまな図にあげたすべてのステップを説明した通りの特定の順番で実行する必要はない。
【００２４】
本発明の実施形態は、ＧＰＳ信号を最適化する衣服を使用するＧＰＳ装置を搬送するシステム及び方法を提供する。本発明は、さらにＧＰＳ信号を最適化する衣服を使用した運動トレーニングを行うための方法に関する。さまざまな実施形態において、衣服は、ＧＰＳ受信機が最適なＧＰＳ信号を取得し易くするよう位置決めした、三次元的なポケットを有することができる。これら実施形態において、ポケットは衣服の着用者の動きを阻害しないよう、衣服に位置決めすることができる。
【図１】
0005964817.tif 000002
【図２】
0005964817.tif 000003
【図３】
0005964817.tif 000004
【図４】
0005964817.tif 000005
【図５】
0005964817.tif 000006
【図６】
0005964817.tif 000007
【図７】
0005964817.tif 000008